(57)【要約】【課題】電子装置を収容して有効に保護することができ、電子装置の操作を容易とする電子装置保護ケースの提供。【解決手段】下カバーは、保護すべき電子装置において操作位置及びインターフェース位置に対応していずれも操作位置を回避する貫通孔が設けられ、下カバーの一つの側壁の両端に軸孔を有する軸受け板がそれぞれ設けられる。上カバーは回転軸を介して下カバーの一方側に接続され、上カバーは、電子装置の開く蓋の一部がその内に収容するように窪み込んだ収容スペースを有し、上カバーと下カバーとの接続側において軸受け板に対応して接続板が突き出され、接続板上には、軸孔に対応付けて収容する回転軸が設けられ、回転軸は、保護すべき電子装置の枢軸と同一の軸線上に位置されるように設計される。電子装置保護ケースと被保護対象の回転軸は同軸であり、電子装置が開くときに保護ケースと電子装置との間に相対的な移動がない。【選択図】図１
0003127294.tif 000002
【実用新案登録請求の範囲】
【請求項１】
保護すべき電子装置の側面において操作位置及びインターフェース位置のいずれにおいても操作位置を回避する貫通孔が設けられた下カバーを含み、下カバーの一つの側壁の両端に軸受け板がそれぞれ設けられて、その上に軸孔が設けられた電子装置保護ケースであって、
回転軸を介して下カバーの一方側に接続される上カバーをさらに備え、
前記上カバーは、
電子装置の開く蓋の一部がその内に収容されるように窪み込んだ収容スペースを有し、
上カバーと下カバーとの接続側において軸受け板に対応して接続板が突き出され、
接続板上には、
軸孔に対応付けて収容するための回転軸が設けられ、
前記回転軸は保護すべき電子装置の枢軸と同一の軸線上に位置されるように設計されていることを特徴とする電子装置保護ケース。
【請求項２】
前記下カバーは、底板と、底板の４箇所の辺から垂直して上方向に伸びてなる四つの側壁とを備え、
前記電子装置ホストは、底板と各側壁に囲まれてなるスペースに収容されることを特徴とする請求項１に記載の電子装置保護ケース。
【考案の詳細な説明】
【技術分野】
【０００１】
本考案は、電子装置保護構造に係り、特に、電子装置保護ケースに関する。
【背景技術】
【０００２】
消費的な電子装置が広く普及されることによって、利用者は、電子装置を保護ケース内に装入することが一般であり、使用する必要があった場合に、電子装置を保護ケースから取り出す。いくらかの保護ケースには、電子装置の操作位置に対応して操作位置を回避する貫通孔が設けられ、電子装置の表示パネル部に対応して窓口を開設することにより、電子装置を保護ケースから取り出さなくても使用することができる。
【考案の開示】
【考案が解決しようとする課題】
【０００３】
ところで、例えば、パームトップゲームホスト、ノートブックPC、ハンドフォン及びその他の折畳み可能な個人視聴及びデジタル電子装置などのさまざまな折畳み式電子装置について、これらの電子装置は、主にホストと開く蓋（通常、開く蓋の上に表示パネルが設けられる）との両部分を備え、その両部分の間は枢軸を介して接続され、使用する必要がない場合に、その両部分は係合されており、使用する必要があった場合に、開く蓋の部分を回転して開くことにより対応する使用操作を行う。今、このような折畳み可能な電子装置に対して、電子装置をその内に収容して操作を行うことができる保護ケースを特に設計したことはまだない。
【０００４】
この考案は上述した問題を解消するためになされたもので、その目的は、電子装置をその内に収容して有効に保護することができ、電子装置の操作を容易にする電子装置保護ケースを提供することにある。
【課題を解決するための手段】
【０００５】
このような問題を解決するために、本考案の電子装置保護ケースは、下カバーと上カバーとを含み、下カバーは、その保護すべき電子装置の側面において操作位置及びインターフェース位置に対応していずれも操作位置を回避する貫通孔が設けられ、下カバーの一つの側壁の両端には軸受け板がそれぞれ設けられて、その上には軸孔が設けられ、前記上カバーは、回転軸を介して下カバーの一方側に接続され、前記上カバーは、電子装置の開く蓋の一部がその内に収容されるように窪み込んだ収容スペースを有し、上カバーと下カバーとの接続側において軸受け板に対応して接続板が突き出され、接続板上には、軸孔に対応付けて収容される回転軸が設けられ、前記回転軸は、保護すべき電子装置の枢軸と同一の軸線上に位置されるように設計されている。
【０００６】
上記した技術提案を用いることにより、本考案の電子装置保護ケースの回転軸は被保護対象の枢軸と同軸であり、電子装置が開くときに保護ケースと電子装置との間に相対的な移動がないことが保証できるため、電子装置を保護することができるという効果がある。本考案は、パームトップゲームホスト、ノートブックPC、ハンドフォン及びその他の折畳みことが可能な個人視聴及びデジタルデバイスに広く利用されることができる。
【考案を実施するための最良の形態】
【０００７】
以下、本考案の実施の形態について、図面を参照して詳細に説明する。
【０００８】
図１及び図２に示すように、本考案の提供する電子装置保護ケースは、プラスチック、プラスチックエンプラ、金属材料あるいは硬質の平面形状の物質からなり、下カバー１と、上カバー２と、下カバー１と上カバー２との間に接続された回転軸３とを備える。
【０００９】
前記下カバー１は、底板１０と、底板１０の４箇所の辺から垂直して上方向に伸びてなる四つの側壁１１、１２、１３、１４と、前記四つの側壁１１、１２、１３、１４上には、その保護すべき電子装置の側面において操作位置及びインターフェース位置に対応していずれも操作位置を回避する貫通孔１６が設けられ、これにより、電子装置を操作し易く、接続操作を行うことができる。下カバー１の一つの側壁の両端には軸受け板１８がそれぞれ設けられ、その上には軸孔１８０が設けられている。
【００１０】
そして、前記上カバー２は、電子装置の開く蓋の一部がその内に収容されるように窪み込んだ収容スペースを有する。上カバー２と下カバー１との接続側において各軸受け板１８に対応して接続板２１が突き出され、接続板２１上には、軸孔１８０に対応して前記回転軸３が設けられ、回転軸３は軸孔１８０内で回転することができる。さらに、電子装置の枢軸位置に従って、前記回転軸３と保護すべき電子装置の枢軸（図示せず）とを、同一の軸線上に位置されるように設計することにより、上カバー２と電子装置のトップカバー（表示パネル）が回転する際に相対的な移動がないことを保証することができる。
【００１１】
使用する場合に、電子装置のホストの一部を、枢軸と保護ケースの回転軸３が合わせるように下カバー１のスペース内に収容する。保護ケースの回転軸３は保護される電子装置の枢軸と同軸線上に位置するため、電子装置が開くときに保護ケースとの間に相対的な移動がないことが保証でき、これにより、電子装置を保護することができる。
【００１２】
本考案の電子装置保護ケースは、パームトップゲームホスト、ノートブックPC、ハンドフォン及びその他の折畳みことが可能な個人視聴及びデジタルデバイスに広く利用されることができる。
【図面の簡単な説明】
【００１３】
【図１】本考案に係る電子装置保護ケースの開状態の斜視図である。
【図２】本考案に係る電子装置保護ケースの閉状態の斜視図である。
【符号の説明】
【００１４】
１…下カバー
２…上カバー
３…回転軸
１０…底板
１１，１２，１３，１４…側壁
１６…操作位置を回避する貫通孔
１８…軸受け板
２１…接続板
１８０…軸孔
【図１】
0003127294.tif 000003
【図２】
0003127294.tif 000004